(57)【要約】【課題】ガイドピンを可動式とし、このガイドピンと仕切り体のガイド溝との位置関係がずれた場合でも扉開閉力の悪化等の問題を防ぐことのできる扉構造を備えた冷蔵庫を得る。【解決手段】本体３と、本体３の開口部４に回転自在に取り付けられ、開口部４を観音開き式に開閉する２つの扉１、２と、本体３の開口部４の上辺内側に設けられたガイドピン６と、一方の扉１の回転自在な取付部と反対側の端部の裏面に回転自在に設けられ、かつ、上下方向に延設された仕切り体５と、仕切り体５の上部に設けられ、一方の扉１の開閉動作に応じてガイドピン６が挿抜される湾曲形状のガイド溝７とを備えた観音開き式扉を有する冷蔵庫１００において、ガイドピン６が水平方向に移動する機構を備える。【選択図】図４
2014092285.tif 000002
【特許請求の範囲】
【請求項１】
箱状の本体と、
前記本体の開口部に回転自在に取り付けられ、該開口部を観音開き式に開閉する２つの扉と、
前記本体の開口部の上辺内側に設けられたガイドピンと、
一方の扉の回転自在な取付部とは反対側の端部の裏面に回転自在に設けられ、かつ、上下方向に延設された仕切り体と、
前記仕切り体の上部に設けられ、前記一方の扉の開閉動作に応じて前記ガイドピンが挿抜される湾曲形状のガイド溝と、
を備えた観音開き式扉を有する冷蔵庫において、
前記ガイドピンが水平方向に移動する移動機構を備えた
ことを特徴とする冷蔵庫。
【請求項２】
前記ガイドピンの移動機構は、該ガイドピンに両側から弾性力を与えるバネを備えている
ことを特徴とする請求項１に記載の冷蔵庫。
【請求項３】
前記ガイドピンの移動機構は、該ガイドピンに両側から磁力を与える磁石を備えていることを特徴とする請求項１に記載の冷蔵庫。
【請求項４】
前記ガイド溝は、末端部と、該末端部に連続し、扉閉鎖時に内側に位置する内側湾曲部と外側に位置する外側湾曲部を有する溝形状を有し、
前記ガイド溝の末端部に第２の末端部を設け、該第２の末端部が、前記ガイドピンに押されることにより移動可能になっている
ことを特徴とする請求項１〜３のいずれか一項に記載の冷蔵庫。
【請求項５】
前記ガイド溝は、末端部と、該前記末端部に連続し、扉閉鎖時に内側に位置する内側湾曲部と外側に位置する外側湾曲部を有する溝形状を有し、
前記仕切り体のガスケット密着面から前記内側湾曲部の入口端までの間口距離が、前記仕切り体のガスケット密着面から前記内側湾曲部の凸形状の頂部までの間口距離より大きくなるように、前記内側湾曲部の入口部が拡大した形状に形成されている
ことを特徴とする請求項１または請求項４に記載の冷蔵庫。
【発明の詳細な説明】
【技術分野】
【０００１】
本発明は、観音開き式扉を備えた冷蔵庫に関し、特に冷蔵庫の扉構造に関するものである。
【背景技術】
【０００２】
観音開き式扉の冷蔵庫では、左右扉間の冷気漏れ対策として扉全閉状態にて扉間を塞ぐ仕切り体を片方の扉に備えている。この仕切り体は扉開閉時に反対側の扉に衝突しないように回転して畳まれる。この回転動作は冷蔵庫箱体側に設けられたガイド構造のガイドピンが仕切り体の上端部に設けられたガイド溝に挿入し、仕切り体を設けた扉が閉められる動作によりガイドピンがガイド溝内を滑ることで実現している。
主な従来技術として、たとえば、特許文献１には、二つの支持アームをリンク結合することにより仕切り体を可動式に構成し、扉の開閉を容易にするとともに、仕切り体のガタツキのないスムーズな回転を実現する構造が開示されている。特許文献２には、本体側にガイド溝を有するガイド部材を設け、扉側の仕切り体にガイド溝に挿入されるローラを設けた構造が開示されている。さらに、特許文献３には、本体側にくびれ部をもつガイドピンを設け、仕切り体の上部に、入口幅が上下方向に広く、奥の幅を狭くした溝と、該溝の上部にガイドピンが挿入する曲面状のガイド溝を設けた構造が開示されている。
【先行技術文献】
【特許文献】
【０００３】
【特許文献１】特開平１０−５４６４８号公報
【特許文献２】実開昭６３−１８５０８７号公報
【特許文献３】特開平７−３０５９４３号公報
【発明の概要】
【発明が解決しようとする課題】
【０００４】
しかし、特許文献１の扉構造では仕切り体の上下端部に支持アームのリンクを設ける必要があるので、構造が複雑になりコスト高となる。特許文献２の扉構造においても、本体開口部の上下にガイド溝を有するガイド部材を設ける必要があるので、構造が複雑になりコスト高となる。特許文献３の扉構造では、ガイドピンが固定式であるため、ガイドピンとガイド溝との位置ずれが生じる可能性があり、位置ずれが生じた場合には、扉開閉力の悪化を招き、扉が半開きになるなどの問題がある。
【０００５】
一方、現状の観音開き式扉の冷気漏れ対策の機構では、特許文献３に示すようにガイドピンが固定式となっている。そのため、仕切り体端部のガイド溝と本体側のガイドピンとの位置関係はシビアに設定される必要がある。ガイドピンまたはガイド溝の位置が冷蔵庫の左右方向に大きくずれた場合には、ガイドピンがガイド溝に入り込まず、最悪の場合、ガイドピンがガイド溝にかからなくなる（からぶり）。また、ガイドピンまたはガイド溝の位置ずれが小さい場合にも、ガイドピンとガイド溝との接触角度が変化し、それにより仕切り体の回転動作に余計な力が必要になる。さらに、扉閉状態におけるガイドピンとガイド溝の位置関係もずれてくるため、ガイドピンがガイド溝の傾斜面に掛かり、仕切り体を回転しきれずに半開き状態に保持してしまう問題にもつながる（扉半開き、冷気漏れ）。そのため、ガイド溝の間口（ガイドピンとガイド溝の挿入時、ガイドピンがガイド溝に挿入し得る最大の入口幅をいう）を広げることが考えられる。しかし、ガイド溝の入口を広げるだけでは、空振り対策に効果はあるものの、ガイドピンの位置ずれにより仕切り体の回転動作不良、扉の開閉動作が重くなること、あるいは扉の半開きなどの不具合を起すことになるため根本的な解決にはならない。
【０００６】
本発明は、特許文献１〜３とは異なる可動式のガイドピンをもつ扉構造を提案するものであり、冷蔵庫本体のゆがみもしくは扉下がり、初期バラツキ等により、ガイドピンと仕切り体のガイド溝との位置関係がずれた場合でも扉開閉力の悪化、仕切り体の回転動作不良、扉の開閉動作が重くなること、あるいは扉の半開きなどの不具合を解消することができる扉構造を備えた冷蔵庫を得ることを目的としている。
【課題を解決するための手段】
【０００７】
本発明に係る冷蔵庫は、箱状の本体と、本体の開口部に回転自在に取り付けられ、開口部を観音開き式に開閉する２つの扉と、本体の開口部の上辺内側に設けられたガイドピンと、一方の扉の回転自在な取付部とは反対側の端部の裏面に回転自在に設けられ、かつ、上下方向に延設された仕切り体と、仕切り体の上部に設けられ、一方の扉の開閉動作に応じてガイドピンが挿抜される湾曲形状のガイド溝と、を備えた観音開き式扉を有する冷蔵庫において、ガイドピンが水平方向に移動する移動機構を備えたものである。
【発明の効果】
【０００８】
本発明に係る冷蔵庫は、観音開き式扉を有する冷蔵庫において、ガイドピンが水平方向に移動する移動機構を備えたものであるので、ガイドピンがガイド溝との接触面積が小さくなるように、つまりガイド溝に掛かる力が小さくなる位置に移動するため、仕切り体とガイドピンとの位置変動による扉開閉力の悪化、仕切り体の回転動作不良、扉の開閉動作が重くなること、あるいは扉の半開きなどの不具合を解消することができる。
【図面の簡単な説明】
【０００９】
【図１】本発明の実施の形態１に係る冷蔵庫の一方の扉を開いた状態を示す概略斜視図である。
【図２】本発明の実施の形態１に係る冷蔵庫の一方の扉を閉じた状態を示す概略斜視図である。
【図３】本発明の実施の形態１に係る扉閉鎖時のガイドピンと仕切り体のガイド溝との位置関係を示す平面図である。
【図４】本発明の実施の形態１に係るガイドピンの移動機構を示す図である。
【図５】本発明の実施の形態２に係るガイド溝の間口部の拡大前後の形状を示す図である。
【図６】本発明の実施の形態３に係る仕切り体のガイド溝の末端部の移動機構を示す図である。
【発明を実施するための形態】
【００１０】
以下、本発明に係る冷蔵庫の実施の形態について図面に基づいて説明する。なお、図１を含め、以下の図面は模式的に表したものであり、各構成部材の大きさの関係についても実際のものとは異なる場合がある。
【００１１】
実施の形態１．
図１は、本発明の実施の形態１に係る冷蔵庫１００の一方の扉１を開いた状態を示す概略斜視図であり、ガイドピン取付部の拡大図（ａ）と仕切り体上部の拡大図（ｂ）が併記してある。図２は、本発明の実施の形態１に係る冷蔵庫１００の一方の扉１を閉じた状態を示す概略斜視図である。
本実施の形態１に係る冷蔵庫１００は、観音開き式に開閉する扉１、２を備えたものであり、一方の扉１が他方の扉２の開閉に関係なく独立に開閉できる構造を有するものである。
【００１２】
この観音開き式の扉１、２は、たとえば冷蔵庫１００の冷蔵室の前面開口部の開閉のために備え付けられており、各扉１、２の一端側が箱状の本体３の開口部４に回転自在に取り付けられている。そして、各扉１、２の裏面周縁部には図示しない磁性ガスケットが本体３の開口端部を覆うように張り巡らされており、上記磁性ガスケットが扉１、２の閉鎖時における冷気の漏洩がないように防止している。
【００１３】
ここで、観音開き式の扉構造について説明する。
一方の扉１の回転自在な取付部の反対側の端部の裏面には、図１および図２に示すように、仕切り体５が上下方向に延設され、かつ、回転自在に設けられている。仕切り体５の上部には、本体３の開口部４の上辺内側に設けられたガイドピン６と挿抜するガイド溝７が湾曲状に形成されている。
【００１４】
仕切り体５は、たとえば９０度の角度で回転するようになっており、扉開状態では図１に示すように、扉１の裏面に対し垂直に回転している。この状態から扉１を閉めると、仕切り体５の上部に設けられた湾曲状のガイド溝７に、本体３の開口部４の上辺内側に設けられたガイドピン６が斜めになって挿入される。ガイドピン６がガイド溝７に入り込んでいくと、仕切り体５が回転中心５ａを中心に外側に向けて回転していき、扉閉状態になった場合には仕切り体５は、図２に示すように扉１の裏面と平行になる。この仕切り体５の外部に露出する部分（ガスケット密着部５ｂ）が他方の扉２の裏面に取り付けられた磁性ガスケット（図示省略）に密着する。この磁性ガスケットは磁性を有しているので、扉閉状態では磁力により仕切り体５のガスケット密接部５ｂおよび本体３の開口端部に磁性ガスケットを介し扉１、２が密着する。したがって、他方の扉２の開閉動作とは関係なく、一方の扉１を独立に開閉することができ、かつ、扉閉状態では本体３内の冷気が漏出することはない。
【００１５】
図３は、本発明の実施の形態１に係る扉閉鎖時のガイドピン６とガイド溝７との位置関係を示す平面図である。また、図４は、本発明の実施の形態１に係るガイドピン６の移動機構を示す図で、（ａ）はガイドピン６の取付部の分解図、（ｂ）はガイドピン６の取付部の組立図、（ｃ）は（ｂ）のＡ−Ａ断面図である。
図３に示すように、扉閉鎖時にはガイドピン６は、ガイド溝７の末端部（最奥部）に斜めに挿入された状態になり、扉１と扉２は扉２を開けない限り本体３を密閉した状態となっている。
【００１６】
本実施の形態１においては、ガイドピン６が図３および図４に破線の矢印で示す水平方向に移動できる機構を備えているものである。ガイドピン６の移動機構は、たとえば図４に示すように、ガイドピン６の両側にバネ８ａ、８ｂを設けたものである。
【００１７】
図４について説明する。ガイドピン６は、ガイド部材９と一体に形成され、細長形状の突部を形成している。この突部からなるガイドピン６がガイドピン保持部材１０に設けられた開口部１１を通して突出し、かつ、開口部１１内で水平方向（破線の矢印方向）に移動するようにガイドピン６のガイド部材９がガイドピン保持部材１０に摺動自在に設けられている。そして、ガイド部材９とガイドピン保持部材１０の各端部間にバネ８ａ、８ｂが装着されている。ガイドピン保持部材１０は、本体３の開口部４の上辺内側に設けられている。このため、扉１の開閉動作の際、バネ８ａ、８ｂによりガイドピン６に両側から弾性力を与えることで、ガイドピン６はガイド溝７との接触面積が小さくなる位置に移動する。これによって、仕切り体５およびガイドピン６の加工誤差、取付誤差等による位置の変動を吸収することができる。すなわち、扉１の閉動作時には、右側または奥側のバネ８ｂがガイドピン６からガイド溝７にかかる抵抗力に対抗してガイドピン６を押し戻し、扉１の開動作時には、左側または手前側のバネ８ａがガイドピン６からガイド溝７にかかる抵抗力に対抗してガイドピン６を押し戻すことで、上記の誤差に基づく位置変動を吸収することができる。
【００１８】
以上のように、本実施の形態１によれば、ガイドピン６に両側からバネ８ａ、８ｂにより弾性力を与える構成としたので、扉１の開閉動作の際、ガイドピン６からガイド溝７に加わる抵抗力を軽減することができ、ガイド溝７の溝形状に対して力の掛かりにくい位置にガイドピン６を移動させることができる。したがって、扉１の開放力、閉鎖力を低減することができる。また、ガイドピン６に対する外力が開放されると、ガイドピン６はバネ８ａ、８ｂの力により自動的に元の位置に復帰する。ここで、「力の掛かりにくい位置」とは、扉１の開閉時に、ガイドピン６がガイド溝７に対し最小の接触面積で動作する位置である。ガイドピン６は、バネ８ａ、８ｂの力により「力の掛かりにくい位置」に自動的に移動することになる。なお、ガイドピン６の左右各方向への移動量は、最大１５ｍｍとなっている。また、バネ８ａ、８ｂのバネ定数は５Ｎ／ｍｍとしている。
【００１９】
実施の形態１では、バネ８ａ、８ｂの力により仕切り体５の回転力をアシストし、扉１の開閉力を低減するものである。なお、バネ８ａ、８ｂは圧縮バネを示しているが、引張りバネのいずれでもよい。
また、従来仕様では固定式のガイドピンであるため、ガイドピンと仕切り体のガイド溝との位置ずれにより、仕切り体の回転が途中で止まってしまう位置関係となったとしても、本実施の形態１では、ガイドピン６がバネ８ａ、８ｂの力により力の掛かりにくい位置に移動するために、仕切り体５はロックされず、確実な回転動作が実現できる。そのため、扉１の半開きモードを防止することができ、冷気漏れ、あるいは扉アラームが鳴るなどの問題を回避できる。
【００２０】
ガイドピン６の他の移動機構として、上記のバネ８ａ、８ｂに代えて、磁石（図示せず）を用いても同様の効果を得ることができる。すなわち、ガイドピン６を両側から磁石の磁力（反発力または吸引力）により移動させる構造とすることもできる。
【００２１】
実施の形態２．
図５は、本発明の実施の形態２に係るガイド溝７の間口部の拡大前後の形状を示す図である。
本実施の形態２は、ガイド溝７の間口部を図５の（ａ）から（ｂ）のように拡大した形状としたものである。ガイドピン６は、実施の形態１と同様に可動式とする。
通常のガイド溝７は、図５（ａ）に示すように、末端部７ｃに連続した内側湾曲部（扉閉鎖時内側に位置する湾曲部）７ａと外側湾曲部（扉閉鎖時外側に位置する湾曲部）７ｂを有する溝形状となっている。そして、本実施の形態２では、図５（ｂ）に示すように、ガイド溝７の間口距離ｄ２が図５（ａ）に示すガイド溝７の間口距離ｄ１よりも大きくなるように、ガイド溝７の内側湾曲部７ａの入口部を拡大するものである。ここで、間口距離ｄ１は、仕切り体５のガスケット密着部５ｂから内側湾曲部７ａの凸形状の頂部７ｅまでの距離であり、間口距離ｄ２は上記頂部７ｅを同じ位置にして仕切り体５のガスケット密着部５ｂから内側湾曲部７ａの拡大した入口端までの距離である。
【００２２】
ガイドピン６が固定式の場合で、図５（ａ）に示すようなガイド溝７の溝形状では、ガイド溝７の間口が狭くなるため、仕切り体５とガイドピン６の位置変動による扉開閉力の悪化が大きくなる。しかし、本実施形態２の図５（ｂ）に示すように、ガイド溝７の間口を拡大した溝形状では、ガイドピン６が挿入しやすくなり、また可動式のガイドピン６による誤差吸収作用とも相俟って、更に仕切り体５とガイドピン６の大きな位置バラツキによる誤差も吸収することができるので、扉１の開閉動作の信頼性を更に向上させることができる。
【００２３】
実施の形態３．
図６は、本発明の実施の形態３に係る仕切り体５のガイド溝７の末端部の移動機構を示す図である。図６の（ａ）と（ｂ）は、ガイドピン６と仕切り体５のガイド溝７との結合状態を示す平面図で、図６の（ｃ）と（ｄ）は内部の構成を示す平面図である。
本実施の形態３は、図６に示すように、仕切り体５のガイド溝７の末端部７ｃに同様の形状の第２の末端部７ｄを設け、第２の末端部７ｄが可動式のガイドピン６に押されることで移動可能に構成したものである。第２の末端部７ｄは、バネ１２によってガイドピン６に対向する方向に付勢されている。すなわち、本実施の形態３は、ガイド溝７に設けた第２の末端部７ｄおよびガイドピン６が可動式に構成したものである。また、図４に示した左側のバネ８ａは省略してもよく、右側のバネ８ｂのみが設けてあればよい。
【００２４】
本実施の形態３においては、扉１の閉動作時、ガイドピン６が第２の末端部７ｄに当たるまでは右側のバネ８ｂの力によってガイドピン６を押し戻す。そして、ガイドピン６が第２の末端部７ｄに接触し末端部７ｃに当たる位置まで第２の末端部７ｄを押していくと、バネ１２とバネ８ｂの力がバランスすることでガイドピン６が力の掛かりにくい位置に移動する。
扉１の開放時においては、ガイドピン６がバネ１２およびバネ８ｂの力より解放されると、ガイドピン６はスムーズにガイド溝７から抜き出されるので、扉１の開放を円滑に行うことができる。
【００２５】
本実施の形態３によれば、ガイド溝７の末端部７ｃに設けた第２の末端部７ｄおよびガイドピン６を可動式に構成したので、可動式のガイドピン６の誤差吸収作用と相俟ってガイドピン６をガイド溝７の溝形状に対して力の掛かりにくい位置に移動させることができる。したがって、扉１の開閉力の悪化を防ぐとともに、仕切り体５はロックされず確実な回転ができ、扉１の半開き、冷気漏れあるいは扉アラームが鳴るなどの問題を回避できる。
【符号の説明】
【００２６】
１  扉、２  扉、３  本体、４  開口部、５  仕切り体、５ａ  仕切り体の回転中心、５ｂ  ガスケット密着部、６  ガイドピン、７  ガイド溝、７ａ  内側湾曲部、７ｂ  外側湾曲部、７ｃ  末端部、７ｄ  第２の末端部、７ｅ  内側湾曲部の頂部、８ａ、８ｂ  バネ、９  ガイド部材、１０  ガイドピン保持部材、１１  開口部、１２  バネ、１００  冷蔵庫。
【図１】
2014092285.tif 000003
【図２】
2014092285.tif 000004
【図３】
2014092285.tif 000005
【図４】
2014092285.tif 000006
【図５】
2014092285.tif 000007
【図６】
2014092285.tif 000008